(57)【要約】【課題】強風により室外機が転倒すること、あるいは、室外機が空中に浮き上がることがないエアコン室外機の取付け構造を提供する。【解決手段】室外機側の冷媒を循環させる配管の接続側と、住居の壁との間に接続部材を設けた構成とした。【選択図】図１
2014167375.tif 000002
【特許請求の範囲】
【請求項１】
エアコンの室外機の取付け構造において、
前記室外機側の冷媒を循環させる配管の接続側と、住居の壁との間に接続部材を設けたことを特徴とするエアコン室外機の取付け構造。
【請求項２】
前記接続部材は、ワイヤーロープより成ることを特徴とする請求項１記載のエアコン室外機の取付け構造。
【請求項３】
前記ワイヤーロープは、配管に沿うように配設されることを特徴とする請求項２記載のエアコン室外機の取付け構造。
【請求項４】
前記接続部材は、長尺フレームより成ることを特徴とする請求項１記載のエアコン室外機の取付け構造。
【発明の詳細な説明】
【技術分野】
【０００１】
本発明は、風によって転倒することや浮き上がることがないエアコン室外機の取付け構造に関する。
【背景技術】
【０００２】
一般に、特許文献１に示すように、家庭用のエアーコンディショナー（エアコン）は、室内に固定される室内機と、室外に設置される室外機と、室内機及び室外機の間に冷媒を循環させる配管と、配管を内包して保護する保護カバーとを備えるものが知られている。
上記エアコンを据え付ける際、例えばマンション等の集合住宅において各住居は、一般的に規約上、専用部分として取り扱われることから、各住居の所有者が任意の場所に室内機を設置，固定することが可能であるが、集合住宅においてバルコニーやベランダ等は、共用部分として取り扱われることから、バルコニー等内に室外機を床置きすることはできても、床面にボルト等で固定することができなかった。あるいは、ボルト止めすると、床面にクラックが生じ長期間経て、雨漏りの原因となる可能性も指摘されていた。また、配管においては、保護カバーが外壁に対してビス等で簡易的に固定されているものの、保護カバー内部の配管自体が外壁に対して固定されていなかった。
そのため、近年特にマンション等の高層階等において台風等による強風のために配管が壁から剥がれて、床面に設置された室外機が浮上、回転することにより損傷を受けたり、場合によっては配管が分断されて室外機が吹き飛んでしまう可能性も指摘されていた。
【先行技術文献】
【特許文献】
【０００３】
【特許文献１】特開平１０−９４８２号公報
【発明の概要】
【発明が解決しようとする課題】
【０００４】
本発明は、上記課題を解決するため、強風により室外機が転倒すること、あるいは、室外機が空中に浮き上がることがないエアコン室外機の取付け構造を提供することを目的とする。
【課題を解決するための手段】
【０００５】
上記課題を解決するため、本発明に係るエアコン室外機の取付け構造として、室外機側の冷媒を循環させる配管の接続側と、住居の壁との間に接続部材を設けた構成とした。
本発明によれば、室外機側の冷媒を循環させる配管の接続側と住居の壁との間に接続部材を設けたので、強風によって室外機が転倒すること、あるいは、空中に浮き上がることを防止することが可能となる。
また、エアコン室外機の取付け構造の他の構成として、接続部材がワイヤーロープであれば、上記構成から生じる効果に加え、強風により接続部材としてのワイヤーロープが伸張，破断することがない。
また、エアコン室外機の取付け構造の他の構成として、ワイヤーロープが配管に沿って配設されれば、配管の折れ曲がりや室外機が配管から離れて吹き飛ばされることを防止できる。
また、エアコン室外機の取付け構造の他の構成として、接続部材が長尺フレームより成れば、室外機を移動させる際に室外機と壁との固定を解除する必要がなく、作業性を向上させることができる。
上記発明の概要は、本発明の必要な特徴の全てを列挙したものではなく、これらの特徴群のサブコンビネーションもまた、発明となり得る。
【図面の簡単な説明】
【０００６】
【図１】エアコン室外機の取付け構造を示す概略図である。
【図２】エアコン室外機の取付け構造を示す側面図である。
【図３】ワイヤーロープの取付例を示す斜視図及び側面図である。
【図４】室外機の転倒実験結果を示す模式図である。
【図５】ワイヤーロープの他の取付例を示す斜視図及び側面図である。
【図６】室外機の他の取付け構造を示す概略図である。
【図７】長尺フレームを用いた取付け構造を示す側面図及び斜視図である。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００８】
図１乃至図３は、本発明によるエアコン室外機の取付け構造を示す概略構成図であり、各図において、１０はエアコンであり、このエアコン１０は、マンション等の集合住宅において専用部分である住居（室内）等の天井１１付近の壁１２に固定される室内機２０と、マンション等の集合住宅において共用部分であるバルコニー等の室外に床置きされる室外機４０と、室内機２０及び室外機４０を互いに連結する配管３０とを備える。
【０００９】
室内機２０は、室内機２０の内部に配設され、配管３０内を循環する冷媒により取込口２１から取り込んだ室内の空気を熱交換する室内熱交換器２２と、室内熱交換器２２により熱交換された空気を取込口２１の下方に設けられる吹出口２４から室内に送り出す送風機２３とを備える。
【００１０】
配管３０は、室外機４０の室外熱交換器４３で熱交換された冷媒を室内機２０に向かって圧送する送り配管３１と、室内熱交換器２２で熱交換された冷媒を室外機４０に向かって返送する戻り配管３２とを備え、室内機２０及び室外機４０の間に冷媒を循環させる。配管３０は、例えば樹脂等により形成される筒状体の保護カバー３４により覆われ、ビスやボルト等の図外の固定手段により壁１２に対して簡易的に固定される。
【００１１】
室外機４０は、冷媒を圧縮して高温高圧の冷媒に変換する圧縮機４２と、圧縮機４２により圧縮された冷媒と空気とを熱交換させる室外熱交換器４３と、圧縮機４２と反対側に設けられ、室外熱交換器４３内の冷媒に対して外気を送る送風機４４とを備え、圧縮機４２側に配管３０が接続される（配管接続側４０Ｒ）。ここで、室外機４０の配管接続側４０Ｒの重量は、重量の大きい圧縮機４２が配管接続側４０Ｒにあるので、配管非接続側４０Ｌの重量よりも大きくなっている。
【００１２】
室外機４０の底部には、配管接続側４０Ｒ及び配管非接続側４０Ｌに互いに離間する薄板状の取付脚４７が設けられる。取付脚４７の両端には、図外の締結孔が開設され、室外機４０は、固定手段としてのボルト５５Ａ，ナット５５Ｂの挿通により架台５０に固定される。
【００１３】
架台５０は、例えば硬質性の樹脂により正面視略台形状に成形される台座であり、床面と接する水平な底面５１Ａと、底面５１Ａから上方に向かって漸次縮径する方向に延長する左右一対の側面５１Ｂ；５１Ｂと、側面５１Ｂ；５１Ｂから互いに近接する方向に延長する左右一対の水平な上面５１Ｃ；５１Ｃとにより形成される。
また、架台５０の上方には、取付脚４７の延長方向に沿って正面視逆Ｔ字状の溝部５３が開設され、当該溝部５３の左右方向の寸法は、ボルト５５Ａの頭部の幅寸法よりも大きく形成される。これにより、溝部５３に挿通されたボルト５５Ａのねじ部に対して、接続部材としてのワイヤーロープ６０を固定することが可能となる。
【００１４】
ワイヤーロープ６０は、例えばステンレスや鉄合金製の複数本の素線からなるストランドを撚りあわせた構造であって、両端にアイ（輪）６０Ａ，６０Ｂが形成される。
ワイヤーロープ６０の一端側に形成されるアイ６０Ａは、ボルト５５Ａに対して引っ掛けられ、取付脚４７と押えプレート５６との間に介在した状態でナット５５Ｂにより固定される。一方、ワイヤーロープ６０の他端側に形成されるアイ６０Ｂは、壁１２と押えプレート６３のとの間に介在した状態で壁１２にあらかじめ開設された小孔６２に対してビス６１を挿通することにより固定される。また、ワイヤーロープ６０は、両端が固定された場合、ピンと張った状態にする必要はなく、室外機４０及び壁１２との間でわずかに撓む程度（遊びをもたせた状態）の長さに設定される。
【００１５】
図４を参照し、室外機４０に風を吹き付けたときの実験結果を説明する。
図４（ａ）に示すように室外機４０を固定しない従来の場合、室外機４０は、強風が吹き付けることにより、風上から風下に向かって移動、あるいは、配管接続側４０Ｒを中心として回転を開始する。風速がさらに上がると、室外機４０は、当該室外機４０の移動，回転に伴い壁１２から遠ざかり、配管３０を覆う保護カバー３４ごと壁１２から外れる。その後、風速が２０ｍ／ｓ程度で配管３０は完全に引き伸ばされ、室外機４０はバランスを崩し転倒し、風速３０ｍ／ｓ程度で室外機４０に浮力が生じ空中へと浮き上がる。
【００１６】
これに対し、図４（ｂ）に示すように室外機４０の配管接続側４０Ｒをワイヤーロープ６０により壁１２に対して固定した室外機４０は、強風が吹いた場合であっても、ワイヤーロープ６０の撓み分のみの移動しか行われない。このため、ワイヤーロープ６０により固定されない配管非接続側４０Ｌが前後方向にわずかに移動，回転しても、配管接続側４０Ｒがほとんど移動することがないため、配管３０が引き伸ばされることがなく、室外機４０の転倒を抑制でき、室外機４０が空中に浮き上がることを防止できる。
【００１７】
一方、図４（ｃ）に示す室外機４０においては、配管非接続側４０Ｌをワイヤーロープ６０により壁１２に対して固定したので空中に浮き上がることを防止できる。しかし、図４（ｂ）と異なり、配管接続側４０Ｒが移動，回転することとなるため、配管３０が、しだいに壁１２から外れ、風速２０ｍ／ｓ以上で完全に引き伸ばされる可能性がある。
【００１８】
以上、室外機４０の固定において、エアコン１０の室外機４０のうち、重量の大きい配管接続側４０Ｒが、ワイヤーロープ６０を介して壁１２に固定されるので、強風による室外機４０の移動，回転を防止でき、配管３０が引き伸ばされることがないので、室外機４０が転倒、あるいは、空中に浮き上がることを防止することができる。
また、室外機４０と壁１２との固定には、ワイヤーロープ６０を用いているので、強風によりワイヤーロープ６０が伸張，破断することなく、室外機４０と壁１２とを強固に固定することが可能となる。
【００１９】
図５に示すように本実施形態においては、室外機４０とワイヤーロープ６０とを固定プレート７０を介して固定する点で上記実施形態と異なる。
固定プレート７０は、硬質樹脂や金属等から形成される楕円形の板材である。固定プレート７０には、長軸方向両端部にそれぞれ締結孔７０Ａ、及び、固定孔７０Ｂが開設される。締結孔７０Ａは、固定手段としてのボルト５５Ａが挿通可能な円孔であって、室外機４０の配管接続側４０Ｒの後方側のボルト５５Ａに挿入され、室外機４０に対して固定される。固定孔７０Ｂは、ワイヤーロープ６０の一端側に形成されるアイ６０Ａを係止可能な円孔であって、ボルト５５Ａ，ナット５５Ｂにより固定される。
【００２０】
固定プレート７０を用いることにより、メンテナンス等で室外機４０を移動させる場合に、架台５０の溝部５３内に挿通されるボルト５５Ａを取り外すことなく、固定プレート７０の固定孔７０Ｂ側のボルト７１Ａ，ナット７１Ｂを取り外だけで室外機４０と壁１２との固定を解除できるので、作業性を向上することが可能となる。
【００２１】
図６に示すように本実施形態においては、配管３０（保護カバー３４）に沿ってワイヤーロープ６０を配設した点で上記実施形態と異なる。
一端側が室外機４０の配管接続側４０Ｒに対して固定されるワイヤーロープ６０は、配管３０を覆う保護カバー３４にほぼ直線状に沿うように配設され、保護カバー３４の上方側の端部まで延長し、他端側が壁１２に開設される小孔６２に対してビス６１を介して固定される。ワイヤーロープ６０は、所定の間隔ごとに結束具８０等により結束される。なお、ワイヤーロープ６０は、１本に限らず複数本であってもよい。
【００２２】
このように、ワイヤーロープ６０を、配管３０が収容される保護カバー３４に沿わせながら配設することにより、強風によって配管３０が保護カバー３４ごと折れ曲がるような力が作用しても配管３０を補張できるので、折れ曲がりを阻止でき、あるいは折れ曲がっても室外機４０が配管３０（保護カバー３４）から離れて吹き飛ばされることを防止可能となる。
【００２３】
以上、上記実施形態においては、室外機４０と壁１２とをワイヤーロープ６０によって固定し、室外機４０が移動することのない形態としたが、これに限定されるものではない。例えば、室内機２０と室外機４０とを連結する配管３０自体、あるいは、配管３０を保護する保護カバー３４自体を、金具等を用いて壁１２に直接固定する態様とすれば、強風が吹いても配管３０または保護カバー３４が壁１２から外れることなく、配管３０も引き伸ばされないので、室外機４０が転倒、あるいは、空中に浮遊することを防止できる。
また、室外機４０の固定は、配管接続側４０Ｒに加え、配管非接続側４０Ｌの２箇所以上を壁１２に固定することにより、配管接続側４０Ｒ及び配管非接続側４０Ｌともに移動することがなくなるので、より一層室外機４０の転倒、あるいは、空中への浮遊を防止できる。
さらに、図７に示すように、一端部が室外機４０に対してボルト５５Ａ，ナット５５Ｂにより固定され、他端部が壁１２に対してビス６１により固定されて、固定手段９１により室外機４０の前後方向に伸縮自在の長尺フレーム９０を介して室外機４０と壁１２とを固定すれば、室外機４０を移動させる際にボルト５５Ａ，ナット５５Ｂやビス６１の固定を解除せずに移動させることができ、作業性の向上を図ることができる。
【符号の説明】
【００２４】
１０  エアコン、２０  室内機、３０  配管、４０  室外機、４７  取付脚、
５０  架台、５５Ａ  ボルト、５５Ｂ  ナット、６０  ワイヤーロープ、
６１  ビス、７０  固定プレート、８０  結束具、９０  長尺フレーム。
【図１】
2014167375.tif 000003
【図２】
2014167375.tif 000004
【図３】
2014167375.tif 000005
【図４】
2014167375.tif 000006
【図５】
2014167375.tif 000007
【図６】
2014167375.tif 000008
【図７】
2014167375.tif 000009